【手続補正書】
【提出日】平成18年12月13日(2006.12.13)
【手続補正１】
【補正対象書類名】明細書
【補正対象項目名】発明の名称
【補正方法】変更
【補正の内容】
【発明の名称】燃料電池セパレータおよびその成形装置ならびにその成形方法および燃料電池
【手続補正２】
【補正対象書類名】明細書
【補正対象項目名】特許請求の範囲
【補正方法】変更
【補正の内容】
【特許請求の範囲】
【請求項１】 変形加工を受けていない金属板の基準板面から板厚方向に凸変形させられた凸部と凹変形された凹部とが、前記基準板面の面に沿う少なくとも一方向に交互に形成されていることを特徴とする燃料電池セパレータ。
【請求項２】  前記凸部の頂面部分もしくは凹部の底面部分の肉厚が、その頂面部分もしくは底面部分の周縁コーナ部の肉厚より厚いことを特徴とする請求項１に記載の燃料電池セパレータ。
【請求項３】  成形用の凹凸形状が外周面の少なくとも一部に形成された分割型を第１のローラシャフトに取り付けた成形ローラと、前記凹凸形状と対をなす成形用の凹凸形状が外周面の少なくとも一部に形成された分割型を第２のローラシャフトに取り付けた成形ローラとを有し、これらの成形ローラを回転させつつその成形ローラの間に素材板を連続的に送り込んで素材板に凹凸変形を連続的に生じさせる燃料電池セパレータの成形装置において、
前記第１もしくは第２のローラシャフトの少なくともいずれか一方の外周面に、平坦面からなる取付座が形成され、その取付座に前記分割型が固定されていることを特徴とする燃料電池セパレータ用の成形装置。
【請求項４】  前記取付座の回転方向での一方の端縁部側に、前記分割型を当接させて位置決めする基準キーが設けられていることを特徴とする請求項３に記載の燃料電池セパレータ用の成形装置。
【請求項５】  前記各成形ローラの前記凹凸形状の部分を挟んだ軸線方向での両側に、前記素材板を挟みつけて回転することにより推進力を素材板に付与する送り部が設けられていることを特徴とする請求項３もしくは４に記載の燃料電池セパレータ用の成形装置。
【請求項６】  一対の成形ローラを回転させつつこれらの成形ローラの間に素材板を通過させることによりこれらの成形ローラによって素材板の少なくとも一部に連続的に凹凸形状を形成する燃料電池セパレータの成形方法において、
複数枚の前記素材板を重ねて前記成形ローラの間に通して複数枚の素材板を同時に成形することを特徴とする燃料電池セパレータの成形方法。
【請求項７】  帯状に連続した成形素材を、一対の成形ローラの間に通して凹凸加工を連続的におこなう燃料電池セパレータの成形方法において、
前記成形素材の後方部分が前記成形ローラの間に挟みつけられている状態で、その成形素材の凹凸加工が完了した前方部分に機械加工もしくはせん断加工を施すことを特徴とする燃料電池セパレータの成形方法。
【請求項８】  電解質膜の両面に電極が設けられた単電池を挟んだ両側に配置され、該単電池の両側に位置する前記凸部によって前記単電池を挟み付けるとともに、前記各凹部の外面がそれぞれの凹部に隣接している他の凸部の外面に接触していることを特徴とする請求項１に記載の燃料電池セパレータ。
【請求項９】  前記凸部および凹部は、共に同じ断面形状に形成され、一方の凸部と他方の凹部とが嵌合しない状態で対向して配置されるように構成されていることを特徴とする請求項１に記載の燃料電池セパレータ。
【請求項１０】  前記凸部もしくは凹部を成形する突起部を有する一方の成形型と、その突起部と共に前記凸部もしくは凹部を成形する窪み部を有する他方の成形型とを備え、
前記突起部は、その頂面部の周辺のエッジ部と前記窪み部における底面部の周辺のコーナ部との間隔が、前記頂面部と前記窪み部の底面部との間隔より狭くなる形状に構成されていることを特徴とする請求項１に記載の燃料電池セパレータ用の成形装置。
【請求項１１】  前記突起部と前記窪み部とで成形された前記凸部の外面同士もしくは前記凹部の外面同士を接触させて二枚の前記燃料電池セパレータを配置したことを特徴とする請求項１０の成形装置で成形した燃料電池セパレータを使用した燃料電池。
【請求項１２】  電解質膜の両面に電極が設けられた単電池を挟んだ両側に、前記請求項１０の成形装置で成形された燃料電池セパレータが配置され、前記突起部と前記窪み部とで成形された前記凸部の外面もしくは前記凹部の外面を前記電極に接触させて構成されていることを特徴とする請求項１０の成形装置で成形した燃料電池セパレータを使用した燃料電池。
【請求項１３】  電解質膜の両面に電極が設けられた単電池の間に二枚の前記請求項１の燃料電池セパレータが挟み込まれ、前記単電池と前記凸部もしくは凹部との間の空間部分がガス流路とされ、かつ各燃料電池セパレータ同士の間の空間部分が冷却水を流すための流路とされていることを特徴とする請求項１に記載された燃料電池セパレータを使用した燃料電池。
【手続補正３】
【補正対象書類名】明細書
【補正対象項目名】０００１
【補正方法】変更
【補正の内容】
【０００１】
【発明の属する技術分野】
この発明は、全体として板状を成すとともに、板厚方向での両方向に凸形状および凹形状となった複数の凸部もしくは凹部を形成した燃料電池セパレータおよびその成形装置ならびに成形方法および燃料電池に関するものである。
【手続補正４】
【補正対象書類名】明細書
【補正対象項目名】０００４
【補正方法】変更
【補正の内容】
【０００４】
このようなセパレータを成形する装置として、凸型と凹型とをプレス機にセットした装置が広く知られている。また、このような凹凸形状を一対のローラの外周面に設け、これらのローラの間に板状素材を供給して走行させることにより板状素材に曲げ加工を施して、連続的に凹凸形状に成形する装置が知られている。さらに、特開平１０−２１６８４７号公報には、凸型の進入する凹部を、素材板が接触しない程度に大きくしたいわゆるルーズ型として構成し、凸型によって素材板に延びを生じさせつつ凹型の内部に進入させ、その際に素材板が凹部の内面に摺接しないことにより、摩耗が生じず、これにより型寿命を向上させるようにした方法が記載されている。
【手続補正５】
【補正対象書類名】明細書
【補正対象項目名】０００５
【補正方法】変更
【補正の内容】
【０００５】
【発明が解決しようとする課題】
上記の公報に記載された装置によって得られるいわゆるセパレータは、凸型を有する成形ロールと凹型を有する成形ロールとによって成形加工されるものであるから、板厚方向での一方にのみ突出した凸部を有する構成となる。そのため、これを燃料電池スタックにおけるセパレータとして使用する場合、その凸部を電極に当接させることに伴い、セパレータ同士は、凸部のない平坦面側で接触させることになり、その結果、発電に伴う加熱を防止するための冷却水を流す流路を確保することができない。その冷却水流路を確保するためには、凸部同士を当接させた更に一対の凹凸板を、電極に接触させたセパレータの間に配置することになり、その結果、セパレータあるいは凹凸板の枚数が増大して燃料電池スタックが大型化し、またその重量が増大してしまう。
【手続補正６】
【補正対象書類名】明細書
【補正対象項目名】０００７
【補正方法】変更
【補正の内容】
【０００７】
この発明は上記の事情を背景としてなされたものであり、板厚方向の両方向に向けて凹凸変形させられて形成され、かつ交互に連続した凹凸部であって底面部分もしくは頂面部分の平坦度の高い凹凸部を有し、しかも加工性のよい燃料電池セパレータおよびその燃料電池セパレータを形成する装置ならびにその製造方法およびその燃料電池セパレータを使用した燃料電池を提供することを目的とするものである。
【手続補正７】
【補正対象書類名】明細書
【補正対象項目名】０００８
【補正方法】変更
【補正の内容】
【０００８】
【課題を解決するための手段およびその作用】
上記の目的を達成するために、請求項１の発明は、変形加工を受けていない金属板の基準板面から板厚方向に凸変形させられた凸部と凹変形された凹部とが、前記基準板面の面に沿う少なくとも一方向に交互に形成されていることを特徴とする燃料電池セパレータである。
【手続補正８】
【補正対象書類名】明細書
【補正対象項目名】０００９
【補正方法】変更
【補正の内容】
【０００９】
したがって請求項１の発明では、凸部同士もしくは凸部の頂面と凹部の底面とを互いに当接させて二枚の燃料電池セパレータを配置すれば、凸部の内面と凹部の内面とが対向して両者の間に広い空間部が形成され、かつそれらの空間部が互いに連通するので、断面積の大きい流路が形成される。また同時に、それぞれの燃料電池セパレータの対向面とは反対側の面に凸部が生じた状態になり、したがってここに燃料電池の電極などの平板体を当接させれば、その平板体との間に連続した空間部が形成され、ここに流路を形成することができる。すなわち二枚の燃料電池セパレータによってその表裏両面側に流路用の空間部を形成することができる。
【手続補正９】
【補正対象書類名】明細書
【補正対象項目名】００１０
【補正方法】変更
【補正の内容】
【００１０】
また、請求項２の発明は、請求項１の発明において、前記凸部の頂面部分もしくは凹部の底面部分の肉厚が、その頂面部分もしくは底面部分の周縁コーナ部の肉厚より厚いことを特徴とする燃料電池セパレータである。
【手続補正１０】
【補正対象書類名】明細書
【補正対象項目名】００１２
【補正方法】変更
【補正の内容】
【００１２】
請求項３の発明は、成形用の凹凸形状が外周面の少なくとも一部に形成された分割型を第１のローラシャフトに取り付けた成形ローラと、前記凹凸形状と対をなす成形用の凹凸形状が外周面の少なくとも一部に形成された分割型を第２のローラシャフトに取り付けた成形ローラとを有し、これらの成形ローラを回転させつつその成形ローラの間に素材板を連続的に送り込んで素材板に凹凸変形を連続的に生じさせる燃料電池セパレータ用の成形装置において、前記第１もしくは第２のローラシャフトの少なくともいずれか一方の外周面に、平坦面からなる取付座が形成され、その取付座に前記分割型が固定されていることを特徴とする成形装置である。
【手続補正１１】
【補正対象書類名】明細書
【補正対象項目名】００１８
【補正方法】変更
【補正の内容】
【００１８】
また、請求項６の発明は、一対の成形ローラを回転させつつこれらの成形ローラの間に素材板を通過させることによりこれらの成形ローラによって素材板の少なくとも一部に連続的に凹凸形状を形成する燃料電池セパレータの成形方法において、複数枚の前記素材板を重ねて前記成形ローラの間に通して複数枚の素材板を同時に成形することを特徴とする成形方法である。
【手続補正１２】
【補正対象書類名】明細書
【補正対象項目名】００１９
【補正方法】変更
【補正の内容】
【００１９】
したがって請求項６の発明では、同時に複数枚の燃料電池セパレータを得ることができるので、燃料電池セパレータの生産効率を向上させることができる。
【手続補正１３】
【補正対象書類名】明細書
【補正対象項目名】００２０
【補正方法】変更
【補正の内容】
【００２０】
そして、請求項７の発明は、帯状に連続した成形素材を、一対の成形ローラの間に通して凹凸加工を連続的におこなう燃料電池セパレータの成形方法において、前記成形素材の後方部分が前記成形ローラの間に挟みつけられている状態で、その成形素材の凹凸加工が完了した前方部分に機械加工もしくはせん断加工を施すことを特徴とする成形方法である。
【手続補正１４】
【補正対象書類名】明細書
【補正対象項目名】００２１
【補正方法】変更
【補正の内容】
【００２１】
したがって請求項７の発明では、凹凸加工とその凹凸加工が施された部分への機械加工もしくはせん断加工とを、それぞれの加工部位が成形素材につながったままの状態でおこなうことになり、そのため、成形素材を新たに位置決めもしくは割り出しするなどの作業を必要とすることなく、機械加工もしくはせん断加工をおこなうことができるので、精度よくしかも効率よく製品を製造することができる。
請求項８の発明は、請求項１の発明において、電解質膜の両面に電極が設けられた単電池を挟んだ両側に配置され、該単電池の両側に位置する前記凸部によって前記単電池を挟み付けるとともに、前記各凹部の外面がそれぞれの凹部に隣接している他の凸部の外面に接触していることを特徴とする燃料電池セパレータである。
請求項９の発明は、請求項１の発明において、前記凸部および凹部は、共に同じ断面形状に形成され、一方の凸部と他方の凹部とが嵌合しない状態で対向して配置されるように構成されていることを特徴とする燃料電池セパレータである。
請求項１０のは発明は、請求項１の燃料電池セパレータを形成する装置であって、前記凸部もしくは凹部を成形する突起部を有する一方の成形型と、その突起部と共に前記凸部もしくは凹部を成形する窪み部を有する他方の成形型とを備え、前記突起部は、その頂面部の周辺のエッジ部と前記窪み部における底面部の周辺のコーナ部との間隔が、前記頂面部と前記窪み部の底面部との間隔より狭くなる形状に構成されていることを特徴とする燃料電池セパレータ用の成形装置である。
請求項１１の発明は、請求項１０の成形装置で成形した燃料電池セパレータを使用した燃料電池であって、前記突起部と前記窪み部とで成形された前記凸部の外面同士もしくは前記凹部の外面同士を接触させて二枚の前記燃料電池セパレータを配置したことを特徴とする燃料電池である。
請求項１２の発明は、請求項１０の成形装置で成形した燃料電池セパレータを使用した燃料電池であって、電解質膜の両面に電極が設けられた単電池を挟んだ両側に、前記請求項１０の成形装置で成形された燃料電池セパレータが配置され、前記突起部と前記窪み部とで成形された前記凸部の外面もしくは前記凹部の外面を前記電極に接触させて構成されていることを特徴とする燃料電池である。
請求項１３の発明は、請求項１の燃料電池セパレータを使用した燃料電池であって、電解質膜の両面に電極が設けられた単電池の間に二枚の前記請求項１の燃料電池セパレータが挟み込まれ、前記単電池と前記凸部もしくは凹部との間の空間部分がガス流路とされ、かつ各燃料電池セパレータ同士の間の空間部分が冷却水を流すための流路とされていることを特徴とする燃料電池である。
【手続補正１５】
【補正対象書類名】明細書
【補正対象項目名】００２２
【補正方法】変更
【補正の内容】
【００２２】
【発明の実施の形態】
つぎにこの発明を図に示す具体例に基づいて説明する。まずこの発明の燃料電池セパレータについて説明すると、その一例を図１に部分平面図として示してあり、この燃料電池セパレータ（以下、単にセパレータと記す）１は、ステンレス板やアルミニウム板などの導電性のある金属板であって、その板厚は一例として０．１ｍｍないし０．３ｍｍ程度である。このセパレータ１には、凸部２と凹部３とが交互にかつ連続して形成されている。その凸部２は、一定ピッチでマトリックス状に配列されており、これに対して凹部３は、凸部２に対して半ピッチ、上下左右にずらしてマトリックス状に配列されている。したがって４つの凸部２の中心を結んで形成される正方形の中心位置に凹部３が位置し、また４つの凹部３の中心を結んで形成される正方形の中心位置に凸部２が位置するように、凸部２および凹部３が配列されている。
【手続補正１６】
【補正対象書類名】明細書
【補正対象項目名】００２３
【補正方法】変更
【補正の内容】
【００２３】
また凸部２および凹部３の形状は、円形断面をなす形状や長円形断面をなす形状などの適宜の形状でよいが、ここで述べている具体例では、図１および図２の（Ａ），（Ｂ），（Ｃ）に示すように、横断面が直径１ｍｍ前後の円形をなし、かつ縦断面が台形状をなす形状であり、これらの凸部２および凹部３は、素材板に材料の移動もしくは流動を伴うコイニング加工などの変形加工を施すことにより形成されている。なお、凸部２同士の間および凹部３同士の間ならびに凸部２と凹部３との間にはわずかな間隔があいていて、この部分は板厚方向への変形加工を受けていない基準板面４となっている。
【手続補正１７】
【補正対象書類名】明細書
【補正対象項目名】００２４
【補正方法】変更
【補正の内容】
【００２４】
さらに、凸部２の頂面部分５と凹部３の底面部分６とは、素材板に平行となる平坦面、すなわち前記基準板面４に平行な平坦面とされている。図示の例では、このような平坦形状を担保するために、以下の構造が採用されている。すなわち、図３に拡大して示すように、前記頂面部分５および底面部分６の周縁コーナ部７，８の肉厚ｔcが頂面部分５および底面部分６の肉厚ｔpより小さく設定されている。これは、前記周縁コーナ部７，８に対して圧縮加工を施し、それに伴う余肉を頂面部分５および底面部分６に生じさせたことによる構造である。すなわち圧縮加工に伴う材料流動もしくは移動を許容できるので、圧縮加工に要する荷重が軽減される。
【手続補正１８】
【補正対象書類名】明細書
【補正対象項目名】００２５
【補正方法】変更
【補正の内容】
【００２５】
また、頂面部分５および底面部分６は、図３に破線で示すように、成形加工時に内面側すなわち基準板面４側にわずか（数十μｍ程度）湾曲した状態に加工されている。そして、その成形荷重を取り除くことにより、スプリングバックが生じて外面側すなわち基準板面４とは反対方向に変形し、湾曲形状が解消されて平坦面となっている。
【手続補正１９】
【補正対象書類名】明細書
【補正対象項目名】００２６
【補正方法】変更
【補正の内容】
【００２６】
上記のセパレータ１の使用状態を図４に模式的に示してあり、高分子電解質膜９を挟んだ両側に燃料電極（陰極）１０と空気電極（酸素電極：陽極）１１とが形成され、これら三者で単電池１２が構成されている。その一対の単電池１２の間に２枚のセパレータ１が互いに接触もしくは接合した状態で配置されている。その接触もしくは接合状態は、凸部２の外面同士を当接させた状態（２枚のセパレータ１の表裏を反転させた状態）あるいは凸部２の外面と凹部３の外面とを当接させた状態（２枚のセパレータ１の表裏を揃えた状態）である。言い換えれば、一方のセパレータ１の凹部３に他方のセパレータ１の凸部２が嵌合しない状態である。
【手続補正２０】
【補正対象書類名】明細書
【補正対象項目名】００２７
【補正方法】変更
【補正の内容】
【００２７】
このように接触もしくは接合させた２枚のセパレータ１が単電池１２によって挟み付けられ、その結果、各セパレータ１がその凸部２の外面もしくは凹部３の外面で単電池１２の電極１０，１１に通電可能に接触している。言い換えれば、各単電池１２がセパレータ１によって挟みつけられている。この状態では、セパレータ１が凸部２および凹部３を有しているのに対して、電極１０，１１が平板状であるから、両者の間に隙間が生じ、かつそれぞれの隙間が連通し、その結果、電極１０，１１の表面側に燃料ガスである水素ガスや酸化性ガスである空気を流通させるためのガス流路１３が形成される。また、互いに接触もしくは接合された一対のセパレータ１の間に、凸部２および凹部３によって空間部が形成され、かつそれらの空間部が互いに連通していて流路１４が形成されている。この流路１４は、ガス流路１３とは隔絶されており、例えば冷却水を流通させるための流路となっている。
【手続補正２１】
【補正対象書類名】明細書
【補正対象項目名】００２８
【補正方法】変更
【補正の内容】
【００２８】
単電池１２を挟んだ両側のガス流路１３に水素ガスあるいは空気を流通させると、高分子電解質膜９を挟んで電気化学的な酸化反応が生じ、その結果発生した電力がセパレータ１を介して外部に出力される。その場合、セパレータ１における凸部２の頂面部分５および凹部３の底面部分６とが、電極１０，１１と同様に平坦面となっているので、セパレータ１と電極１０，１１との接触面積が広くなり、両者の間の導電率が高くなって燃料電池の全体としての内部抵抗が低減される。すなわち燃料電池の発電効率が高くなる。その起電力は、水素ガスの酸化反応によって得られるのであるから、発電と同時に熱が生じるが、上記のセパレータ１では、ガス流路１３と併せて流路１４が形成されるので、その流路１４に冷却水を流通させることにより、過剰な温度上昇を防止することができる。
【手続補正２２】
【補正対象書類名】明細書
【補正対象項目名】００２９
【補正方法】変更
【補正の内容】
【００２９】
つぎに上記のセパレータ１を成形加工するためのこの発明に係る成形装置について説明する。図５はその成形装置の一例を模式的に示しており、上下一対の成形ローラ１５，１６が互いに接近して平行に配置されている。上側の成形ローラ１５は、装置全体のフレーム部分を構成している本体１７と一体のホルダー１８によって両端部を回転自在に保持されている。また、下側の成形ローラ１６は、その左右の軸端部を、昇降可能なホルダー１９ａ，１９ｂによって回転自在に保持されている。これらの昇降ホルダー１９ａ，１９ｂは、減速機２０ａ，２０ｂの出力部に連結されたボールネジユニット２１ａ，２１ｂに連結されている。そして、それぞれの減速機２０ａ，２０ｂの入力部材をギヤユニット２１を介してモータ２２に連結し、そのモータ２２によってボールネジユニット２１ａ，２１ｂを回転させることにより、昇降ホルダー１９ａ，１９ｂが上下動して、上下の成形ローラ１５，１６の間隔が調整されるようになっている。
【手続補正２３】
【補正対象書類名】明細書
【補正対象項目名】００３６
【補正方法】変更
【補正の内容】
【００３６】
また、上下の成形ローラ１５，１６の位相合わせは、前記基準キー３７を利用しておこなう。すなわち上下の成形ローラ１５，１６における基準キー３７に位相合わせ用のスリットを形成しておき、そのスリットに図示しないキーあるいはピンを挿入して上下の成形ローラ１５，１６の位相を決め、これにより上下の分割型３１，３２同士の位相を合わせる。
【手続補正２４】
【補正対象書類名】明細書
【補正対象項目名】００４３
【補正方法】変更
【補正の内容】
【００４３】
なお、成形素材５１は１枚のみ供給してもよいが、同種もしくは異種あるいは組成の異なる複数枚の成形素材５１を積層して成形装置５３に供給してもよい。その場合、上下の成形ローラ１５，１６の間隔を、成形素材５１の全体としての板厚に合わせて調整する。このようにすれば、１工程で複数枚の燃料電池セパレータを形成することができる。
【手続補正２５】
【補正対象書類名】明細書
【補正対象項目名】００４７
【補正方法】変更
【補正の内容】
【００４７】
【発明の効果】
以上説明したように請求項１または８あるいは９の発明によれば、変形加工を受けていない金属板の基準板面から板厚方向に凸変形させられた凸部と凹変形された凹部とが、前記基準板面の面に沿う少なくとも一方向に交互に形成されているので、凸部同士もしくは凸部の頂面と凹部の底面とを互いに当接させて二枚の燃料電池セパレータを配置すれば、凸部の内面と凹部の内面とが対向して両者の間に広い空間部が形成され、かつそれらの空間部が互いに連通するので、断面積の大きい流路を形成することができ、また同時に、それぞれの燃料電池セパレータの対向面とは反対側の面に凸部が生じた状態になり、したがってここに燃料電池の電極などの平板体を当接させれば、その平板体との間に連続した空間部が形成され、ここに流路を形成することができる。すなわち二枚の燃料電池セパレータによってその表裏両面側に流路用の空間部を形成することができる。
【手続補正２６】
【補正対象書類名】明細書
【補正対象項目名】００４９
【補正方法】変更
【補正の内容】
【００４９】
一方、請求項３あるいは１０の発明によれば、素材板に凹凸形状を付与する分割型のローラシャフトに対する取付座が平坦面であるために、その分割型の位置決め精度がよく、また位置決めが容易であり、その結果、いわゆる段取り時間を短くできるとともに、分割型の取付剛性を高くして寸法精度の良好な製品を得ることができる。
【手続補正２７】
【補正対象書類名】明細書
【補正対象項目名】００５２
【補正方法】変更
【補正の内容】
【００５２】
さらに、請求項６の発明によれば、複数枚の素材板を重ねて成形ローラの間に通して複数枚の素材板を同時に成形するので、同時に複数枚の燃料電池セパレータを得ることができ、その結果、燃料電池セパレータの生産効率を向上させることができる。
【手続補正２８】
【補正対象書類名】明細書
【補正対象項目名】００５３
【補正方法】変更
【補正の内容】
【００５３】
そして、請求項７の発明によれば、凹凸加工とその凹凸加工が施された部分への機械加工もしくはせん断加工とを、それぞれの加工部位が成形素材につながったままの状態でおこなうことになり、そのため、成形素材を新たに位置決めもしくは割り出しするなどの作業を必要とすることなく、機械加工もしくはせん断加工をおこなうことができるので、精度よくしかも効率よく製品を製造することができる。
またそして、請求項１１ないし１３の発明によれば、上記のいずれかの燃料電池セパレータを使用して燃料電池が構成される。
【手続補正２９】
【補正対象書類名】明細書
【補正対象項目名】図１
【補正方法】変更
【補正の内容】
【図１】  この発明に係る燃料電池セパレータの一例を示す部分平面図である。
【手続補正３０】
【補正対象書類名】明細書
【補正対象項目名】図３
【補正方法】変更
【補正の内容】
【図３】  その燃料電池セパレータの凸部および凹部の断面形状を拡大して示す部分拡大断面図である。
【手続補正３１】
【補正対象書類名】明細書
【補正対象項目名】図４
【補正方法】変更
【補正の内容】
【図４】  その燃料電池セパレータの使用例の模式的な断面図である。
【手続補正３２】
【補正対象書類名】明細書
【補正対象項目名】符号の説明
【補正方法】変更
【補正の内容】
【符号の説明】
１…燃料電池セパレータ、  ２…凸部、  ３…凹部、  ４…基準板面、  ５…頂面部分、  ６…底面部分、  ７，８…周縁コーナ部、  １３…ガス流路、  １４…流路、  １５，１６…成形ローラ、  ２９，３０…ローラシャフト、  ３１，３２…分割型、  ３５，３６…取付座、  ３７…基準キー、  ３８…送りリング。
【手続補正３３】
【補正対象書類名】図面
【補正対象項目名】図１
【補正方法】変更
【補正の内容】
【図１】
2001196079.tif 000001